(57)【要約】【課題】簡易な操作で、折り畳み、展開が可能な表示装置を提供する。【解決手段】この表示装置１００は、縦、横それぞれに複数配列された平行四辺形の画像表示器１０１と、画像表示器１０１を接続する接続部材１０２ａ，１０２ｂ，１０３ａ，１０３ｂと、を備えて構成される。接続部材１０２ａ，１０２ｂは、縦方向に配列された画像表示器１０１同士を接続する。接続部材１０３ａ，１０３ｂは、横方向に配列された画像表示器１０１同士を接続する。画像表示器１０１は、フィルム材またはガラス基板により構成されている。接続部材１０２ａ，１０２ｂ，１０３ａ，１０３ｂは、蝶番や樹脂材質により構成され、接続部材１０２ａ，１０２ｂ，１０３ａ，１０３ｂを折り目として表示装置１００を折り畳むことができるようになっている。【選択図】図１
2007108611.tif 000002
【特許請求の範囲】
【請求項１】
それぞれ独立した複数の画像表示器と、
前記複数の画像表示器をそれぞれ接続し、かつ各画像表示器間の接続部で山折りまたは谷折りが可能な接続部材と、
を備えて構成され、
前記接続部材を折り目として所定の規則性をもって折り畳むことにより、一軸方向への伸縮によって開閉自在なことを特徴とする表示装置。
【請求項２】
完全な折り畳み状態で前記複数の画像表示器を一つの前記画像表示器上に重ね合わせて折り畳み可能なことを特徴とする請求項１に記載の表示装置。
【請求項３】
前記画像表示器は、平行四辺形、菱形、台形形状のフィルム材またはガラス基板により構成されていることを特徴とする請求項１または２に記載の表示装置。
【請求項４】
前記接続部材は、蝶番や樹脂材質などにより構成されていることを特徴とする請求項１〜３のいずれか一つに記載の表示装置。
【請求項５】
前記接続部材は、前記表示装置が完全な展開または折り畳み状態ではなく、中間状態であってもその状態の維持が可能であることを特徴とする請求項１〜４のいずれか一つに記載の表示装置。
【請求項６】
前記接続部材には、前記各画像表示器に映像信号、音声信号、制御信号、および電源などを導くための導電体が備えられていることを特徴とする請求項１〜５のいずれか一つに記載の表示装置。
【請求項７】
折り畳んだ後に収納ケースに収納可能であることを特徴とする請求項１〜６のいずれか一つに記載の表示装置。
【請求項８】
前記収納ケースには、前記各画像表示器に電源を供給するためのシート電池が収納されていることを特徴とする請求項７に記載の表示装置。
【請求項９】
前記収納ケースには、前記各画像表示器を制御するための制御信号を発するシート回路基板が収納されていることを特徴とする請求項７または８に記載の表示装置。
【請求項１０】
前記接続部材は、前記画像表示器の変位を検出する変位センサを備え、
前記シート回路基板は、
前記変位センサによる検出結果に所定の演算を施して前記画像表示器の傾きを算出し、さらに、前記算出結果に基づいて、前記画像表示器における表示画像の方位を決定することを特徴とする請求項９に記載の表示装置。
【請求項１１】
前記シート回路基板は、
メモリ手段を備え、
実際の表示エリアより広い仮想空間エリアを前記メモリ手段にイメージ設定しておき、前記仮想空間エリア内に、実際の画像位置より所定の距離だけ移動させた位置の移動表示エリアに表示させる画像を取得し、前記移動表示エリアに表示させるべき画像を前記表示エリアに表示させることを特徴とする請求項９または１０に記載の表示装置。
【請求項１２】
前記複数の画像表示器は、前記表示装置が完全な展開状態のときに、それぞれの画像表示器における走査線が同一方向に形成されることを特徴とする請求項１〜１１のいずれか一つに記載の表示装置。
【請求項１３】
すべての前記画像表示器は画像表示機能を備えており、１部の画像表示器は前記画像表示機能に加えて、少なくとも制御機能、音声出力機能、電源機能、ユーザインターフェース機能のいずれか一つを備えていることを特徴とする請求項１〜１２のいずれか一つに記載の表示装置。
【発明の詳細な説明】
【技術分野】
【０００１】
この発明は、複数の画像表示器を備える折り畳み可能な表示装置に関する。ただし、この発明の利用は、上述した表示装置には限られない。
【背景技術】
【０００２】
近年、情報処理技術の発達にともない、各種情報を表示するための表示装置もさまざまな形態のものが提案されている（たとえば、特許文献１，２を参照。）。また、表示装置ではないが、平面形状のものを携帯しやすいように折り畳む技術が提案されている（たとえば、特許文献３，４を参照。）。
【０００３】
特許文献１に開示されている技術は、独立した複数の表示手段とこれを接続するフレキシブルジョイントとによって構成された表示装置である。この表示装置は、折り畳んで収納して小型化することができ、またそれぞれの画面に違った映像を映し出すこともできる。
【０００４】
また、特許文献２に開示されている技術は、フレキシブルな材料を用いて製造された第１および第２の基板を有する液晶表示装置である。この液晶表示装置は、曲げ応力に対して強い耐性を備えたものになっている。
【０００５】
また、特許文献３に開示されている技術は、参照したい任意の地域図を常に見開き状態にしておくことができる地図である。この地図は、折り畳み線が無理に折り畳まれることがなく、ある地域図から任意方向の隣接した地域図へ簡単に移行でき、隣接地域図へ移行の際に全体を広げる必要がなく、折り畳み状態も比較的小型になっている。
【０００６】
また、特許文献４に開示されている技術は、総図の部分、すなわちアトラスを簡易な操作で開くことができ、開閉によって傷むことが少ない折り畳まれた片面印刷物である。
【０００７】
【特許文献１】特開平９−３１１７３７号公報
【特許文献２】特表２００４−５１９７２６号公報
【特許文献３】特開平１０−３２４０７８号公報
【特許文献４】特開平１０−９５１８１号公報
【発明の開示】
【発明が解決しようとする課題】
【０００８】
特許文献１に開示された表示装置は、折り畳み可能であることから携帯には便利である。しかしながら、折り畳む場合、その都度フレキシブルジョイントを取り外すことが必要となるので、使い勝手が悪いという問題がある。
【０００９】
また、特許文献２に開示された液晶表示装置は、フレキシブルな材料を用いて製造されてはいるものの、折り畳むことは想定されていないため、折り畳んで携帯することはできないという問題がある。
【００１０】
また、特許文献３に開示された地図、および特許文献４に開示された片面印刷物は、簡易な操作で展開、折り畳みが可能である。しかしながら、あくまでも紙面などに印刷されたものを対象とするので、技術分野の異なる表示装置に適用することはできないという問題がある。
【課題を解決するための手段】
【００１１】
請求項１に記載の発明にかかる表示装置は、それぞれ独立した複数の画像表示器と、前記複数の画像表示器をそれぞれ接続し、かつ各画像表示器間の接続部で山折りまたは谷折りが可能な接続部材と、を備えて構成され、前記接続部材を折り目として所定の規則性をもって折り畳むことにより、一軸方向への伸縮によって開閉自在なことを特徴とする。
【発明を実施するための最良の形態】
【００１２】
以下、添付図面を参照して、この発明にかかる表示装置の好適な実施の形態を詳細に説明する。
【００１３】
この発明の実施の形態にかかる表示装置は、それぞれ独立した複数の画像表示器と、これらの画像表示器をそれぞれ接続し、かつ各画像表示器間の接続部で山折りまたは谷折りが可能な接続部材と、を備えて構成される。
【００１４】
各画像表示器は、それぞれたとえば平行四辺形、菱形、台形形状のフィルム材またはガラス基板などにより構成されている。なお、画像表示器を菱形のフィルム材またはガラス基板で構成する場合には、その菱形のフィルム材またはガラス基板を二枚の三角形のフィルム材またはガラス基板で構成してもよい。
【００１５】
また、接続部材は、たとえば蝶番や樹脂材質により構成され、この接続部材を折り目として所定の規則性をもって表示装置を折り畳むことができるようになっている。そして、表示装置は、たとえば完全な折り畳み状態で複数の画像表示器を一つの画像表示器上に重ね合わせて折り畳むことができる構造を備えている。具体的には、表示装置は、完全な折り畳み状態で表面積が二つの画像表示器を並べた大きさより小さくなるように構成されている。
【００１６】
この表示装置の折り畳み方としては、いわゆるミウラ折りを採用すれば、一軸方向に伸縮することで容易に開閉できるので好都合である。すなわち、ミウラ折りを採用することで、表示装置の完全展開時における対向端の部分（異なる二つの部分）をもって、さっと左右に引っ張れば一瞬にして広がるし、折り畳むのも瞬時に完了させることができるようになる。なお、この表示装置は、ミウラ折り以外の折り畳み方で折り畳んでも差し支えない。
【００１７】
また、接続部材は、この表示装置が完全な展開または折り畳み状態ではなく、中間（半開き）状態であってもその状態を維持することができるようになっている。したがって、この表示装置は、半開き状態で画像表示することもできる。
【００１８】
また、接続部材には、各画像表示器に映像信号、音声信号、制御信号、および電源などを導くための導電体が備えられている。
【００１９】
また、この実施の形態の表示装置は、折り畳んだ後、収納ケースに収納することが可能である。そして、その収納ケースから、各画像表示器に対して映像信号、音声信号、制御信号、電源などを供給できるようにすれば、全体の構成が簡略化でき、好都合である。
【実施例】
【００２０】
（実施例１）
図１は、実施例１の表示装置１００の形状を示す模式図である。この表示装置１００は、縦、横それぞれに複数配列された平行四辺形の画像表示器１０１と、画像表示器１０１を接続する接続部材１０２ａ，１０２ｂ，１０３ａ，１０３ｂと、を備えて構成される。画像表示器１０１は、すべて同じ大きさで、フィルム材またはガラス基板により構成されている。また、接続部材１０２ａ，１０２ｂ，１０３ａ，１０３ｂは、蝶番や樹脂材質により構成されている。
【００２１】
接続部材１０２ａ，１０２ｂ，１０３ａ，１０３ｂは、各画像表示器１０１に映像信号、音声信号、制御信号、および電源などを導くための導電体を備えている。したがって、各画像表示器１０１にそれぞれ異なる画像を表示することが可能になる。
【００２２】
また、画像表示器１０１を接続する接続部材１０２ａ，１０２ｂ，１０３ａ，１０３ｂ自体は画像表示できない。しかし、接続部材１０２ａ，１０２ｂ，１０３ａ，１０３ｂは大変細く構成されているため、画像が分断されるといった不自然さを最小限にすることができる。
【００２３】
接続部材１０２ａ，１０２ｂは、図１における縦方向に配列された画像表示器１０１同士を接続する。また、接続部材１０３ａ，１０３ｂは、図１における横方向に配列された画像表示器１０１同士を接続する。この表示装置１００は、接続部材１０２ａ，１０２ｂ，１０３ａ，１０３ｂを折り目として折り畳むことができる。このときの折り畳み方には、いわゆるミウラ折りを採用している。
【００２４】
したがって、折り畳むときは、山折りの部分と谷折りの部分が交互になるようにする。すなわち、まず、表示装置１００を、接続部材１０２ａに沿って山折り、接続部材１０２ｂに沿って谷折りにする。続けて、接続部材１０３ａに沿って山折り、接続部材１０３ｂに沿って谷折りにする。
【００２５】
このようにすることで、表示装置１００の完全展開時における対向端の部分として、たとえば点１００ａ，１００ｂの部分をつまんでさっと左右に引っ張れば一瞬にして表示装置１００を広げることができる。また、その状態で、点１００ａ，１００ｂの部分をつまんで軽く押すだけで表示装置１００を折り畳むことができる。
【００２６】
図２は、実施例１の表示装置１００の完全に折り畳んだ状態になる直前の状態を示す平面図である。図１に示した状態から、前述の手法で表示装置１００を折り畳むことにより、図２に示すような状態になる。図２に示すように、この表示装置１００は、完全に折り畳んだ状態で向って左側の平行四辺形の一つの画像表示器１０１上に、向って真ん中の平行四辺形の他の画像表示器１０１を手前側に重ね合わせて折り畳み、さらに向って右側の平行四辺形の他の画像表示器１０１を手前側に重ね合わせて折り畳まれるように構成されている。
【００２７】
このように折り畳まれた表示装置１００は、たとえば二つの画像表示器１０１を長手方向に直列的に並べた大きさ以下の大きさになるため、携帯に便利である。また、この表示装置１００では、同じ折り目を二回以上折ることはないため、折り畳む際に画像表示器１０１が受ける物理的負荷を最小限にすることができる。
【００２８】
図３、図４は、画像表示器１０１の表示画面のスキャニングを説明するための図である。図３に示すように、この画像表示器１０１の表示画面の平行な二辺３０１，３０２に対して垂直方向にスキャニングライン３０３が設定される。また、図４に示すように、この画像表示器１０１の表示画面の平行な二辺４０１，４０２に対して平行な方向にスキャニングライン４０３が設定されてもよい。
【００２９】
このように各画像表示器１０１においてスキャニングライン３０３，４０３が設定されることにより、表示装置１００の完全展開時に、たとえばそれぞれの画像表示器１０１における走査線が同一方向に繋がるように形成されることとなる。したがって、この表示装置１００では、各画像表示器１０１が正方形や長方形で形成されていなくても、映像などの２次元画像を歪んで表示することなく正確に表示することが可能となる。
【００３０】
図５は、実施例１の表示装置１００に表紙５００を設ける場合の一例を示す図である。図６は、実施例１の表示装置１００を収納ケース６００に収納する場合の一例を示す図である。なお、実施例１の表示装置１００は、縦、横それぞれに複数配列された平行四辺形の画像表示器１０１を採用しているが、図５および図６においては、表示装置１００が長方形の画像表示器１０１を採用した場合を例示して説明する。
【００３１】
表紙５００は、表示装置１００を構成する画像表示器１０１の一辺に接続する。そして、表示装置１００を収納ケース６００に収納する場合には、表紙５００が収納ケース６００の底面側に位置するようにして、表紙５００と画像表示器１０１との間に、シート電池５０１やシート回路基板５０２などを挿入する。
【００３２】
最後に、収納ケース６００にふた６０１を取り付け、表示装置１００全体が収納ケース６００内に収まるようにする。このようにすることで、表示装置１００をコンパクトに収納することができ、携帯が容易になる。また、シート電池５０１やシート回路基板５０２などからは、接続部材１０２ａ，１０２ｂ，１０３ａ，１０３ｂに備えられている導電体を介して表示装置１００を構成する各画像表示器１０１へ映像信号、音声信号、制御信号、電源などを供給する。
【００３３】
なお、上述した構成以外にも、たとえば表紙５００を裏紙として採用したり、シート電池５０１やシート回路基板５０２などを表紙５００と画像表示器１０１との間以外の位置に設けたりしてもよい。
【００３４】
（実施例２）
図７は、実施例２の表示装置７００の形状を示す模式図である。この表示装置７００は、実施例１の表示装置１００に、さらに横三列の画像表示器１０１を加えて構成しただけのものであるため、外部構成の説明は省略する。
【００３５】
この実施例２の表示装置７００は、完全に展開されていない状態でも、画像を表示することが可能である。以下、かかる状態における表示装置７００の画像表示方法を述べる。
【００３６】
この表示装置７００は、実施例１の表示装置１００と同様に、各画像表示器１０１に異なる画像を表示させることが可能である。そこで、まず、接続部材１０２ａ，１０２ｂ，１０３ａ，１０３ｂに、画像表示器１０１の変位を検出する変位センサを備える。次に、この変位センサによる検出結果を、シート回路基板５０２に含まれる演算機能により所定の演算を実行することで、画像表示器１０１の傾き（開き具合）が求められる。
【００３７】
最後に、シート回路基板５０２が、その算出結果に基づいて、各画像表示器１０１における表示画像の方位を決定する。たとえば、図７に示すように、表示装置７００が半開き状態であり、画像表示器１０１がＸ方向とＹ方向（ＸとＹのなす角は９０°）を向いている場合でも、前記の処理を実行することで、正面から見ても不自然ではない正視状態の画像を表示することができるようになる。
【００３８】
この表示方法を用いることにより、Ｘ方向から表示装置７００を見ているユーザには画像Ａが表示され、Ｙ方向から表示装置７００を見ているユーザには画像Ａとは異なる画像Ｂが表示されるようにすることができる。もちろん、Ｘ方向とＹ方向で同じ画像、すなわち画像Ａと画像Ｂが同じ内容、としてもよいことはいうまでもない。具体的な活用方法としては、対戦ゲームや対面販売説明用などの表示装置が考えられる。
【００３９】
（実施例３）
図８は、実施例３の表示装置８００の展開時の形状を示す模式図である。この表示装置８００は、複数の平行四辺形の画像表示器１０１と、複数の台形の画像表示器８０１と、これらを接続する接続部材１０２ａ，１０２ｂ，１０３ａ，１０３ｂ，８０２と、を備えて構成される。
【００４０】
平行四辺形の画像表示器１０１は、すべて同じ大きさで、フィルム材またはガラス基板により構成されている。また、台形の画像表示器８０１も、すべて同じ大きさで、フィルム材またはガラス基板により構成されている。実施例３の表示装置８００では、複数の平行四辺形の画像表示器１０１と、複数の台形の画像表示器８０１とを組み合わせて、長方形の表示画面を実現する。また、接続部材１０２ａ，１０２ｂ，１０３ａ，１０３ｂ，８０２は、蝶番や樹脂材質により構成されている。
【００４１】
接続部材１０２ａ，１０２ｂ，１０３ａ，１０３ｂ，８０２は、各画像表示器１０１，８０１に映像信号、音声信号、制御信号、および電源などを導くための導電体を備えている。したがって、各画像表示器１０１，８０１にそれぞれ異なる画像を表示することが可能になる。
【００４２】
接続部材１０２ａ，１０２ｂは、図８における縦方向に配列された、画像表示器１０１と画像表示器８０１または画像表示器１０１同士を接続する。接続部材１０３ａ，１０３ｂは、図８における横方向に配列された、画像表示器１０１同士または画像表示器８０１の下底同士を接続する。接続部材８０２は、横方向に配列された画像表示器８０１の上底同士を接続する。
【００４３】
この表示装置８００は、接続部材１０２ａ，１０２ｂ，１０３ａ，１０３ｂ，８０２を折り目として折り畳むことができる。このときの折り畳み方には、いわゆるミウラ折りを採用している。したがって、折り畳むときは、山折りの部分と谷折りの部分が交互になるようにする。
【００４４】
すなわち、まず、表示装置８００を、接続部材１０２ａに沿って山折り、接続部材１０２ｂに沿って谷折りにする。続けて、接続部材１０３ａに沿って山折り、接続部材１０３ｂに沿って谷折りにする。さらに、接続部材８０２に沿って山折りにする。このようにすることで、たとえば点８００ａ，８００ｂの部分をつまんでさっと左右に引っ張れば一瞬にして表示装置８００を広げることができる。また、その状態で、点８００ａ，８００ｂの部分をつまんで軽く押すだけで表示装置８００を折り畳むことができる。
【００４５】
図９は、実施例３の表示装置８００の完全に折り畳んだ状態になる直前の状態を示す平面図である。図８に示した状態から、前述の方法で表示装置８００を折り畳むことにより、図９に示すような状態になる。図９に示すように、この表示装置８００は、完全に折り畳んだ状態で向って左側の台形の一つの画像表示器８０１上に、向って真ん中左側の平行四辺形の他の画像表示器１０１を手前側に重ね合わせて折り畳み、向って真ん中右側の平行四辺形の他の画像表示器１０１を手前側に重ね合わせて折り畳み、さらに向って右側の台形の他の画像表示器８０１を手前側に重ね合わせて折り畳まれるように構成されている。
【００４６】
このように折り畳まれた表示装置８００は、たとえば二つの画像表示器１０１，８０１を長手方向に直列的に並べた大きさ以下の大きさになるため、携帯に便利である。また、この表示装置８００では、同じ折り目を二回以上折ることはないため、折り畳む際に画像表示器１０１，８０１が受ける物理的負荷を最小限にすることができる。
【００４７】
この実施例３の表示装置８００も、実施例１の場合と同様に、接続部材１０２ａ，１０２ｂ，１０３ａ，１０３ｂ，８０２の部分には画像表示ができず、画像が分断されるという問題がある。そこで、次のような手段を講じることで、その問題の解決を図っている。
【００４８】
図１０は、画像分断を回避するための対処法を説明するための図である。まず、表示装置８００の表示エリア１０００に対し、これより広い仮想空間エリア１００１を、表示装置８００に接続されているシート回路基板（不図示）に備えられたメモリ手段にイメージ設定しておく。
【００４９】
次に、仮想空間エリア１００１内に、実際の画像位置より所定の距離だけ移動させた位置の移動表示エリア１００２に表示させる画像を取得する。そして、移動表示エリア１００２に表示させるべき画像を表示エリア１０００に表示させる。このようにすることで、画像分断の問題を解決し、分断のない鮮明な画像表示を行うことができる。なお、移動距離は、シート回路基板（不図示）に含まれるＸＹ加速度センサ機能などで検知し、所定の演算を実行することで求められる。
【００５０】
以上説明したように、この実施例にかかる表示装置は、簡易な操作で、広げたり、折り畳んだりすることができる。しかも、大変小さく折り畳むことができるので、収納、携帯に便利である。
【００５１】
また、この実施例にかかる表示装置は、折り畳んだ際に収納する収納ケースにシート電池やシート回路基板などの電源供給手段や制御手段をあわせて収納することができる。したがって、電源供給や制御などを他の機器に依存することがないため、コンパクトで使い勝手がよい。
【００５２】
また、この実施例にかかる表示装置は、不完全な展開状態であっても、正面から見ても不自然ではない正視状態の画像を表示することができる。
【００５３】
また、この実施例にかかる表示装置は、分断のない鮮明な画像表示を行うことができる。
【００５４】
以上、この発明にかかる表示装置について一実施例を示して説明した。以下では、その表示装置を構成する各画像表示器の構造について説明する。この発明にかかる表示装置は、平行四辺形または台形の形状をした複数の画像表示器を複数連結して構成することができるが、以下の図１１〜図１５に示すように、それぞれの画像表示器が固有の機能を持たせるようにしてもよい。
【００５５】
すべての画像表示器は画像表示機能を備えるが、表示装置上の特定の位置に配置される画像表示器には画像表示機能に加えて固有の機能を１または複数種類搭載させても良い。固有の機能としては、例えば、制御機能、音声出力機能、電源機能、スイッチング機能などがある。
【００５６】
図１１は、画像表示機能のみを備えた画像表示器の構造の一例を示す図である。この画像表示器１１００は、基盤層１１０１上に、ダミー半導体層１１０２と、バスライン層１１０３と、表示層１１０４と、保護層１１０５とが順次積層されて構成される。ダミー半導体層１１０２は、他の画像表示器と同じ厚さを保つために形成されるダミー層である。バスライン層１１０３は、透明電極配線を含み、表示層１１０４などへ映像信号、音声信号、制御信号、および電流などを導く層である。表示層１１０４は、有機ＥＬなどからなり、画像などの表示を行う層である。保護層１１０５は、透明樹脂などからなり、表示層１１０４を保護するための層である。
【００５７】
図１２は、画像表示機能および制御機能を備えた画像表示器の構造の一例を示す図である。この画像表示器１２００は、基盤層１１０１上に、半導体層１２０１と、バスライン層１１０３と、表示層１１０４と、保護層１１０５とが順次積層されて構成される。半導体層１２０１は、有機半導体などからなり、図１１に示したダミー半導体層１１０２と同等の厚さに形成されている。この画像表示器１２００は、半導体層１２０１を備えているので、画像表示のみならず、バスライン層１１０３を介して送られてきた制御信号に基づき画像表示器１２００全体の制御を行うことができる。また、この半導体層１２０１は、他の画像表示器の制御を行うこともできる。
【００５８】
図１３は、画像表示機能および音声出力機能を備えた画像表示器の構造の一例を示す図である。この画像表示器１３００は、基盤層１１０１上に、振動層１３０１と、バスライン層１１０３と、表示層１１０４と、保護層１１０５とが順次積層されて構成される。振動層１３０１は、図１１に示したダミー半導体層１１０２と同等の厚さに形成されており、バスライン層１１０３を介して送られてきた音声信号を出力することができる。この画像表示器１３００は、振動層１３０１を備えているので、画像表示とともに、音声信号の出力を行うことができる。
【００５９】
図１４は、画像表示機能、制御機能および電源機能を備えた画像表示器の構造の一例を示す図である。この画像表示器１４００は、シート電源層１４０１上に、半導体層１２０１と、バスライン層１１０３と、表示層１１０４と、保護層１１０５とが順次積層されて構成される。シート電源層１４０１は、図１１などに示した基盤層１１０１と同等の厚さに形成されており、半導体層１２０１や表示層１１０４、または他の画像表示器へ電流を供給するためのものである。この画像表示器１４００は、シート電源層１４０１を備えているので、他から電流の供給を受けることなく、画像などの表示制御を行うことができる。また、電源機能を備えた画像表示器の場合、半導体層１２０１を有機太陽電池として構成してもよい。
【００６０】
図１５は、画像表示機能、制御機能、電源機能、およびスイッチング機能（ユーザからの操作を受け入れたりメッセージを出力したりするなどのユーザインターフェース機能）を備えた画像表示器の構造の一例を示す図である。この画像表示器１５００は、シート電源層１４０１上に、半導体層１２０１と、シートスイッチ検出層１５０１と、表示層１１０４と、保護層１１０５とが順次積層されて構成される。この画像表示器１５００は、図１４に示した画像表示器１４００にスイッチング機能を加えたものである。シートスイッチ検出層１５０１は、図１１などに示したバスライン層１１０３と同等の厚さに形成されており、圧力を受けたことを検出することで、スイッチング機能を実現するものである。したがって、ユーザが保護層１１０５を指で押下することにより、ＯＮ／ＯＦＦ制御を行うことができ、たとえば電源のＯＮ／ＯＦＦなどを行うことができるようになる。
【００６１】
この発明にかかる表示装置は、図１１〜図１５に示した画像表示器を複数接続することで実現することができる。図１１〜図１５に示した画像表示器は、いずれも５層構造で、すべてが同じ厚さになるように構成されているので、各画像表示器を接続して表示装置を構成しても、装置の部分ごとに厚さが異なるといった不自然さはない。また、表示装置を構成する際の各画像表示器の配置位置は、表示装置としてどのような機能が要求されているかにより異なるが、たとえば、スイッチング機能が必要な場合には、図１５に示した画像表示器１５００を表示装置の周辺部（例えば、表示装置の四隅または左右の端部）に配置すれば使い勝手がよくなる。
【００６２】
また、この発明にかかる表示装置は、前述のように各画像表示器の傾き（開き具合）を検出できる機能を備えることができる。この場合、画像表示器を構成する各層のいずれかに画像表示器の傾きを検出する手段を接続すればよい。以下では、このような傾きを検出する変位検出機能を備えた画像表示器の一例を示す。
【００６３】
図１６は、変位検出機能を備えた画像表示器の構造の一例を示す図である。この画像表示器１６００は、基盤層１１０１上に、半導体層１２０１と、バスライン層１１０３と、表示層１１０４と、保護層１１０５とが順次積層されて構成される。また、バスライン層１１０３には、ピエゾ樹脂などからなる変位検出フィルム１６０１が接続されている。この画像表示器１６００は、図１２に示した画像表示器１２００に変位検出フィルム１６０１を備えたものである。変位検出フィルム１６０１は、折り曲げられることによって形状が変位し、その変位量に比例した電位を発する。したがって、この変位検出フィルム１６０１が発した電位の大きさを半導体層１２０１で検出することで、その変位量を求め、画像表示器１６００の傾き（開き具合）を検出することができる。なお、この変位検出フィルム１６０１は、各画像表示器を接続するための接続部材としても使用できる。
【図面の簡単な説明】
【００６４】
【図１】実施例１の表示装置の形状を示す模式図である。
【図２】実施例１の表示装置の完全に折り畳んだ状態になる直前の状態を示す平面図である。
【図３】画像表示器の表示画面のスキャニングを説明するための図である。
【図４】画像表示器の表示画面のスキャニングを説明するための図である。
【図５】実施例１の表示装置に表紙を設ける場合の一例を示す図である。
【図６】実施例１の表示装置を収納ケースに収納する場合の一例を示す図である。
【図７】実施例２の表示装置の形状を示す模式図である。
【図８】実施例３の表示装置の展開時の形状を示す模式図である。
【図９】実施例３の表示装置の完全に折り畳んだ状態になる直前の状態を示す平面図である。
【図１０】画像分断を回避するための対処法を説明するための図である。
【図１１】画像表示機能のみを備えた画像表示器の構造の一例を示す図である。
【図１２】画像表示機能および制御機能を備えた画像表示器の構造の一例を示す図である。
【図１３】画像表示機能および音声出力機能を備えた画像表示器の構造の一例を示す図である。
【図１４】画像表示機能、制御機能および電源機能を備えた画像表示器の構造の一例を示す図である。
【図１５】画像表示機能、制御機能、電源機能、およびスイッチング機能を備えた画像表示器の構造の一例を示す図である。
【図１６】変位検出機能を備えた画像表示器の構造の一例を示す図である。
【符号の説明】
【００６５】
１００，７００，８００  表示装置
１０１，８０１，１１００，１２００，１３００，１４００，１５００，１６００  画像表示器
１０２ａ，１０２ｂ，１０３ａ，１０３ｂ，８０２  接続部材
３０３，４０３  スキャニングライン
５００  表紙
５０１  シート電池
５０２  シート回路基板
６００  収納ケース
６０１  ふた
１０００  表示エリア
１００１  仮想空間エリア
１００２  移動表示エリア
１１０１  基盤層
１１０２  ダミー半導体層
１１０３  バスライン層
１１０４  表示層
１１０５  保護層
１２０１  半導体層
１３０１  振動層
１４０１  シート電源層
１５０１  シートスイッチ検出層
１６０１  変位検出フィルム
【図１】
2007108611.tif 000003
【図２】
2007108611.tif 000004
【図３】
2007108611.tif 000005
【図４】
2007108611.tif 000006
【図５】
2007108611.tif 000007
【図６】
2007108611.tif 000008
【図７】
2007108611.tif 000009
【図８】
2007108611.tif 000010
【図９】
2007108611.tif 000011
【図１０】
2007108611.tif 000012
【図１１】
2007108611.tif 000013
【図１２】
2007108611.tif 000014
【図１３】
2007108611.tif 000015
【図１４】
2007108611.tif 000016
【図１５】
2007108611.tif 000017
【図１６】
2007108611.tif 000018